(57)【要約】【課題】未使用領域の探索時間を短くし、未使用領域の探索による動画データの記録の中断を回避する。【解決手段】ユーザが初期化処理の開始を指示した場合、初期化部１０６は、記憶媒体１０３内に管理領域３０１、動画記憶領域３０２および非動画記憶領域３０３を設定する。初期化部１０６はさらに、ＤＶＣ１０以外の装置が動画記憶領域３０２に動画データ以外のデータをランダムに記録することを防止するために、動画記憶領域３０２が読み出し専用領域（リードオンリー領域）であることを示す情報を管理領域３０１に書き込む。【選択図】      図２
2004164705.tif 000002
【特許請求の範囲】
【請求項１】
ランダムアクセス可能な記憶媒体内に動画データを連続的に記憶する動画記憶領域を設定するとともに、前記動画記憶領域が読み出し専用領域であることを示す情報を前記記憶媒体に書き込むことを特徴とする記録装置。
【発明の詳細な説明】
【０００１】
【発明の属する技術分野】
本発明は、ハードディスクなどの記憶媒体に動画データを記録する記録装置に関するものである。
【０００２】
【従来の技術】
ランダムアクセス可能な記憶媒体に動画データを記録する方法には、未使用領域の探索を繰り返しながら、動画データをランダムに記録する方法がある。
【０００３】
【発明が解決しようとする課題】
しかしながら、このような記録方法では、未使用領域の探索時間が長くなり過ぎると動画データの記録が中断してしまうという課題がある。
【０００４】
本発明は、このような課題にかんがみてなされたものであり、未使用領域の探索時間を短くし、未使用領域の探索による動画データの記録の中断を回避することを目的とする。
【０００５】
【課題を解決するための手段】
本発明における記録装置は、ランダムアクセス可能な記憶媒体内に動画データを連続的に記憶する動画記憶領域を設定するとともに、前記動画記憶領域が読み出し専用領域であることを示す情報を前記記憶媒体に書き込むことを特徴とするものとする。
【０００６】
【発明の実施の形態】
以下、図１〜４を参照し、本発明における実施の形態を説明する。
【０００７】
図１は、本実施の形態における記録装置であるＤＶＣ（デジタルビデオカメラ）１０の構成の一部を示す図である。
【０００８】
図１において、ＤＶＣ１０は、本実施の形態における記録装置である。撮像部１０１は、被写体像から動画データまたは静止画データを生成するユニットである。記録再生部１０２は、撮像部１０１から得た動画データまたは静止画データを記憶媒体１０３に記録するユニットであり、記憶媒体１０３からユーザが指定した動画データまたは静止画データを再生するユニットである。記憶媒体１０３は、ハードディスクなどのランダムアクセス可能な記憶媒体である。表示部１０４は、記録再生部１０２から得た動画データまたは静止画データを表示器に表示するユニットである。デジタルインターフェース部１０５は、記録再生部１０２から得た動画データまたは静止画データを外部装置（例えば、コンピュータ）に送信するユニットである。初期化部１０６は、記憶媒体１０３を初期化するユニットである。なお、初期化部１０６は、マイクロコンピュータで実行可能なプログラムによって実現することも可能である。
【０００９】
図２は、ＤＶＣ１０における初期化処理の処理手順を示すフローチャートである。
【００１０】
ステップＳ２０１：ユーザが初期化処理の開始を指示した場合、初期化部１０６は、図３に示すように、記憶媒体１０３内に管理領域３０１、動画記憶領域３０２および非動画記憶領域３０３を設定する。動画記憶領域３０２は、動画データをランダムではなく連続的に記憶する記憶領域であり、複数個の連続するクラスタからなる。記憶媒体１０３内に動画データを連続的に記憶する記憶領域である動画記憶領域３０２を確保することにより、記憶領域の探索に必要な時間を短くすることができ、記憶領域の探索による動画データの記録の中断を回避することができる。非動画記憶領域３０３は、動画データ以外のデータ（静止画データなど）をランダムに記憶する記憶領域であり、動画記憶領域３０２と同様に、複数個の連続するクラスタからなる。管理領域３０１は、動画記憶領域３０２に関する情報（動画記憶領域３０２を特定するための情報、動画記憶領域３０２のサイズを示す情報など）、非動画記憶領域３０３に関する情報（非動画記憶領域３０３を特定するための情報、非動画記憶領域３０３のサイズを示す情報など）、動画記憶領域３０２に記憶された動画データに関する情報、非動画記憶領域３０３に記憶された静止画データなどに関する情報を記憶する記憶領域である。なお、初期化部１０６は、動画記憶領域３０２にダミーデータを記録するようにしてもよい。
【００１１】
ステップＳ２０２：動画記憶領域３０２に動画データ以外のデータをランダムに記録してしまった場合、ＤＶＣ１０は未使用領域を探索しながら動画データを記録しなければならない。そこで、初期化部１０６は、ＤＶＣ１０以外の装置が動画記憶領域３０２に動画データ以外のデータをランダムに記録することを防止するために、動画記憶領域３０２が読み出し専用領域（リードオンリー領域）であることを示す情報を管理領域３０１に書き込む。
【００１２】
このように、本実施の形態におけるＤＶＣ１０によれば、ランダムアクセス可能な記憶媒体である記憶媒体１０３内に動画データを連続的に記憶する記憶領域である動画記憶領域３０２を確保することができるので、未使用領域の探索時間を短くすることができ、未使用領域の探索による動画データの記録の中断を回避することができる。また、動画記憶領域３０２に動画データをまとめて記録することができるので、動画データの管理が容易にもなる。
【００１３】
また、本実施の形態におけるＤＶＣ１０によれば、動画データを連続的に記憶する記憶領域である動画記憶領域３０２が読み出し専用領域（リードオンリー領域）であることを示す情報を管理領域３０１に書き込むことができるので、ＤＶＣ１０以外の装置が動画データ以外のデータを動画記憶領域３０２にランダムに書き込んでしまうことを防止することができる。
【００１４】
また、本実施の形態におけるＤＶＣ１０によれば、ランダムアクセス可能な記憶媒体である記憶媒体１０３内に動画データ以外のデータをランダムに記憶する記憶領域である非動画記憶領域３０３を設定することができるので、記憶媒体１０３に動画データしか記憶できないという不都合を回避することもできる。
【００１５】
（他の実施の形態）
なお、本発明は上述の実施の形態においてのみ実現可能なものではなく、他の形態においても実現可能である。例えば、本発明は、デジタルビデオカメラ以外の記録装置（例えば、デジタルビデオレコーダ）においても実現可能である。従って、本発明は上述の実施の形態に限定されるものではない。
【００１６】
【発明の効果】
本発明によれば、動画データを記録するときの未使用領域の探索時間を短くすることができ、未使用領域の探索による動画データの記録の中断を回避することができる。
【図面の簡単な説明】
【図１】本実施の形態における記録装置であるデジタルビデオカメラ１０の概略構成を示す図である。
【図２】デジタルビデオカメラ１０における初期化処理の処理手順を示すフローチャートである。
【図３】記憶媒体１０３に設定された管理領域、動画記憶領域、非動画記憶領域を示す図である。
【符号の説明】
１０  デジタルビデオカメラ（記録装置）
１０１  撮像部
１０２  記録再生部
１０３  記憶媒体
１０４  表示部
１０５  デジタルインターフェース部
１０６  初期化部
【図１】
2004164705.tif 000003
【図２】
2004164705.tif 000004
【図３】
2004164705.tif 000005